(57)【要約】【課題】  設置場所に容易に運搬することができ、かつ、速やかに設置できると共に、丈夫な構造であり、不要となった際に、容易に解体ができる組立式パーティション及びその組立方法を提供する。【解決手段】  複数の柱部材１〜３と複数の桟部材４、５とを選択的に組み合わせ、互いに着脱可能に連結して枠体Ｎ、Ｎ１、Ｎ２・・・、ｎ、ｎ１、ｎ２・・・を形成し、枠体により空間部を仕切る組立式パーティションＰとした。従って、例えば、災害時の避難場所を仕切って多数の小部屋を形成することができ、避難者のプライバシーを確保できる。【選択図】  図１
2011132665.tif 000002
【特許請求の範囲】
【請求項１】
複数の柱部材と複数の桟部材とを有し、該柱部材と該桟部材とを選択的に組み合わせ、互いに着脱可能に連結して枠体を形成し、該枠体により空間部を仕切ることを特徴とする組立式パーティション。
【請求項２】
以下のＡに示される第１の柱部材、Ｂに示される第２の柱部材、Ｃに示される第３の柱部材、Ｄに示される第１の桟部材およびＥに示される第２の桟部材を選択的に組み合わせ、互いに着脱可能に連結して枠体を形成し、該枠体により空間部を仕切る組立式パーティション。
Ａ  縦方向に延びる第１の柱部材であって、下端部が接地され、上端部には、前記第１の桟部材の端部が着脱自由に連結可能な１つの連結部を有する第１の柱部材。
Ｂ  縦方向に延びる第２の柱部材であって、下端部が接地され、上端部には、前記第１の桟部材の端部および前記第２の桟部材の端部が着脱自由に連結可能な３つの連結部を有する第２の柱部材。
Ｃ  縦方向に延びる第３の柱部材であって、下端部が接地され、上端部には、前記第１の桟部材の端部およびが前記第２の桟部材の端部が着脱自由に連結可能な４つの連結部を有する第３の柱部材。
Ｄ  横方向に延びる第１の桟部材であって、一端部には、前記第１の柱部材の連結部に差し込み可能な１つの連結部を有し、他端部には、前記第２の柱部材および第３の柱部材の連結部に着脱自由に連結可能な１つの連結部を有する第１の桟部材。
Ｅ  横方向に延びる第２の桟部材であって、両端部には、前記第２の柱部材および第３の柱部材の連結部に着脱自由に連結可能な１つの連結部をそれぞれ有する第２の桟部材。
【請求項３】
前記第２の柱部材の３つの連結部は、略Ｔ字線上に互いに１２０度の角度を持って位置するように配置され、前記第３の柱部材の４つの連結部は、略十字線上に互いに９０度の角度を持って位置するように配置されたことを特徴とする請求項２記載の組立式パーティション。
【請求項４】
前記第１の桟部材および第２の桟部材の少なくとも一方の両端部間の中間部位は、互いに上下方向に離間して並列する複数本の横棒から構成されることを特徴とする請求項２又は３記載の組立式パーティション。
【請求項５】
請求項２〜４のいずれか１つに記載の組立式パーティションの組立方法であって、
前記第１の柱部材と第１の桟部材と第２の柱部材との組立体と、該第１の柱部材と第１の桟部材と第３の柱部材との組立体とを形成し、該第２の柱部材と第３の柱部材とを第２の桟部材により連結して、上方から見て略コ字形状をなす基本枠体を組み立て、該基本枠体の側部に、第１の柱部材、第１の桟部材、第３の柱部材および第２の桟部材を連結して別の枠体を組み立て、該枠体の側部に順次多数の枠体を並列して組み立てる一方、基本枠体の背部に、２つの第１の柱部材と２つの第１の桟部材を連結して別の枠体を組み立て、該基本枠体の側部の枠体の背部に順次多数の枠体を並列して組み立てたことを特徴とする組立式パーティションの組立方法。
【請求項６】
前記基本枠体を基本として組み立てられた組立式パーティションは、前記多数の枠体により、避難所の空間部を仕切って多数の生活用小部屋を形成するものであることを特徴とする請求項５記載の組立式パーティションの組立方法。
【発明の詳細な説明】
【技術分野】
【０００１】
本発明は、地震、水害、噴火等の災害時の避難場所などの室内（空間部）等を仕切り形成するパーティションに関し、特に、簡易に組み立てられる組立式パーティション及びその組立方法に関する。
【背景技術】
【０００２】
地震、水害、噴火等の災害時には、被災者が避難場所に避難しなくてはならない場合が発生する。この場合の避難場所は体育館や公民館などの広い室内の場合が多く、広い室内を多数の被災者が共用しながらの避難生活を余儀なくされることになる。
【０００３】
ところで、上記の避難場所での生活は、様々な不便があるため、被災者がストレスを感じることが多いが、特に、共通の広い空間内での生活はプライバシーを確保することができないため、被害者にとってストレスの大きな要因となっている。従って、避難場所の室内を何らかの間仕切り（パーティション）で仕切って、被害者が生活できる小部屋を設ければ、ある程度のプライバシーを確保することができる。
【発明の開示】
【発明が解決しようとする課題】
【０００４】
このような目的から、従来では特許文献１〜５に示すようなパーティション等が提案されている。
【特許文献１】実用新案登録第３１０８５９２号公報
【特許文献２】特開２００３−８２７９６号公報
【特許文献３】特開２００６−２９９７６４号公報
【特許文献４】特開２００６−３２８８３４号公報
【特許文献５】特開２００７−１１３３６６号公報
【０００５】
避難場所などの室内を仕切り形成するパーティションは、設置場所に容易に運搬することができ、かつ、速やかに設置できる簡便なものでなくてはならならず、しかも、頑丈である必要がある。また、簡易の間仕切りであるため、不要となった際に、容易に解体ができるものでなくてはならない。しかし、上記のような従来技術では、いずれもこのような要望に答えることができないのが現状である。
【０００６】
本発明は、上記のような課題を解決するためなされたものであり、避難場所などの室内を仕切り形成するパーティションであって、設置場所に容易に運搬することができ、かつ、速やかに設置できると共に、丈夫な構造であり、不要となった際に、容易に解体ができる組立式パーティション及びその組立方法を提供することを目的とする。
【課題を解決するための手段】
【０００７】
上記した課題を解決するため、請求項１に係る発明の組立式パーティションは、複数の柱部材と複数の桟部材とを有し、該柱部材と該桟部材とを選択的に組み合わせ、互いに着脱可能に連結して枠体を形成し、該枠体により空間部を仕切ることを特徴とする。
【０００８】
請求項２に係る発明の組立式パーティションは、以下のＡに示される第１の柱部材、Ｂに示される第２の柱部材、Ｃに示される第３の柱部材、Ｄに示される第１の桟部材およびＥに示される第２の桟部材を選択的に組み合わせ、互いに着脱可能に連結して枠体を形成し、該枠体により空間部を仕切る組立式パーティション。
Ａ  縦方向に延びる第１の柱部材であって、下端部が接地され、上端部には、前記第１の桟部材の端部が着脱自由に連結可能な１つの連結部を有する第１の柱部材。
Ｂ  縦方向に延びる第２の柱部材であって、下端部が接地され、上端部には、前記第１の桟部材の端部および前記第２の桟部材の端部が着脱自由に連結可能な３つの連結部を有する第２の柱部材。
Ｃ  縦方向に延びる第３の柱部材であって、下端部が接地され、上端部には、前記第１の桟部材の端部およびが前記第２の桟部材の端部が着脱自由に連結可能な４つの連結部を有する第３の柱部材。
Ｄ  横方向に延びる第１の桟部材であって、一端部には、前記第１の柱部材の連結部に差し込み可能な１つの連結部を有し、他端部には、前記第２の柱部材および第３の柱部材の連結部に着脱自由に連結可能な１つの連結部を有する第１の桟部材。
Ｅ  横方向に延びる第２の桟部材であって、両端部には、前記第２の柱部材および第３の柱部材の連結部に着脱自由に連結可能な１つの連結部をそれぞれ有する第２の桟部材。
【０００９】
請求項３に係る発明の組立式パーティションは、前記第２の柱部材の３つの連結部は、略Ｔ字線上に互いに１２０度の角度を持って位置するように配置され、前記第３の柱部材の４つの連結部は、略十字線上に互いに９０度の角度を持って位置するように配置されたことを特徴とする。
【００１０】
請求項４に係る発明の組立式パーティションは、前記第１の桟部材および第２の桟部材の少なくとも一方の両端部間の中間部位は、互いに上下方向に離間して並列する複数本の横棒から構成されることを特徴とする。
【００１１】
請求項５に係る発明の組立式パーティションの組立方法は、請求項２〜４のいずれか１つに記載の組立式パーティションの組立方法であって、前記第１の柱部材と第１の桟部材と第２の柱部材との組立体と、該第１の柱部材と第１の桟部材と第３の柱部材との組立体とを形成し、該第２の柱部材と第３の柱部材とを第２の桟部材により連結して、上方から見て略コ字形状をなす基本枠体を組み立て、該基本枠体の側部に、第１の柱部材、第１の桟部材、第３の柱部材および第２の桟部材を連結して別の枠体を組み立て、該枠体の側部に順次多数の枠体を並列して組み立てる一方、基本枠体の背部に、２つの第１の柱部材と２つの第１の桟部材を連結して別の枠体を組み立て、該基本枠体の側部の枠体の背部に順次多数の枠体を並列して組み立てたことを特徴とする。
【００１２】
請求項６に係る発明の組立式パーティションの組立方法は、前記基本枠体を基本として組み立てられた組立式パーティションは、前記多数の枠体により、避難所の空間部を仕切って多数の生活用小部屋を形成するものであることを特徴とする。
【発明の効果】
【００１３】
請求項１および２に係る発明の組立式パーティションによれば、例えば、体育館や公民館などの広い室内や広場を仕切って多数の小部屋などを形成することができるため、広い室内や広場を多数の被災者が共用しながらの避難生活を送る場合に、共通の広い空間内での生活であっても、プライバシーができるだけ確保され、被害者にとってストレスが軽減される。
【００１４】
しかも、複数の柱部材と複数の桟部材とを選択的に組み合わせて、互いに着脱可能に連結して枠体を形成し、該枠体により室内などを仕切るものであるため、柱部材と桟部材のままで、設置場所に容易に運搬することができ、また、単に、柱部材に桟部材を差し込むなどして連結するだけで組み立てが完了するため、速やかに、かつ、熟練を要せず、簡便に組み立てることができ、柱部材と桟部材を足していくだけで、次々に枠体からなる小部屋などを増やしていくことができる。
【００１５】
また、段ボールを使用して仕切らずに、柱部材と桟部材を使用しているため、頑丈である。さらに、柱部材と桟部材のみを使用した簡易の間仕切りであるため、不要となった際に、柱部材と桟部材との連結を解除するだけで、容易に解体ができ、手間がかからない。
【００１６】
特に、請求項２に係る発明の組立式パーティションによれば、特定した構成の第１〜第３の柱部材、第１および第２の桟部材を採用したから、例えば、前面部が開放され、両側面部と後面部が隔てられた、上方から見て略コ字形状をなす枠体を形成することができるため、例えば、災害時の非難場所の室内を仕切って、プライバシーがより高く確保される多数の小部屋を形成する上で有利である。
【００１７】
請求項３に係る発明の組立式パーティションによれば、第２の柱部材の第２〜第４の連結部を、略Ｔ字線上に互いに１２０度の角度を持って位置するように配置し、第３の柱部材の第５〜第８の連結部を、略十字線上に互いに９０度の角度を持って位置するように配置した結果、第１の桟部材および第２の桟部材との連結部分が、略Ｔ字形および略十字形となって、整然とし、連結作業もスムーズになる。
【００１８】
請求項４に係る発明の組立式パーティションによれば、桟部材の両端部間の中間部位を、複数本の横棒から構成したため、該桟部材の中間部位の強度が向上し、例えば、この部位にぶら下がるなどしても、前記の中間部位がしなるなど変形せず、折損を効果的に防止することができる。
【００１９】
請求項５および６に係る発明の組立式パーティションの組立方法によれば、特定した構成の第１〜第３の柱部材、第１および第２の桟部材からなる基本枠体を基本として組み立てるようにしたから、前面部が開放され、両側面部と後面部が隔てられた、上方から見て略コ字形状をなす枠体を簡単に組み立てることができるため、災害時の非難場所の室内を仕切って、プライバシーがより高く確保される多数の小部屋を形成する上で、効率良く組み立てることができ、組立性を向上することができ有利である。
【発明を実施するための最良の形態】
【００２０】
以下、添付された図面を参照して本発明の実施の形態を詳述する。
本発明に係る組立式パーティション（以下、単にパーティションと言う）の一例として、地震、水害、噴火等の災害時の非難場所の室内（空間部）や広場（空間部）を仕切るパーティションを図１〜図１０に基づいて説明する。
【００２１】
かかるパーティションは、複数の柱部材と複数の桟部材とを有し、該柱部材と該桟部材とを選択的に組み合わせ、互いに着脱可能に連結して枠体を形成し、該枠体により空間部を仕切ることを特徴とするもので、具体的には、図１に示すように構成される。即ち、パーティションＰは、第１の柱部材１、第２の柱部材２、第３の柱部材３、第１の桟部材４および第２の桟部材５の各組立部品を具備している。
【００２２】
次に、上記の各組立部品の構造を説明する。前記第１の柱部材１は、図２に示すように、縦方向に延びる部材であって、下端部が接地され、上端部には、後に詳述する前記第１の桟部材４の端部が着脱自由に連結可能、例えば、差し込み可能で、上方向に延びる１つの第１の差込片（本発明における着脱自由な連結部で、以下、差込片とはこの着脱自由な連結部のことを指す。）１Ａを有している。
【００２３】
この場合、第１の柱部材１は、全て塩化ビニール製のパイプ部材からなる、１つの短い直管ａ１（例えば、長さ３８ｍｍ、内径２２ｍｍ、外径２４ｍｍ）、１つの長い直管ｂ１（例えば、長さ８４０ｍｍ）、１つのソケットｃ１（例えば、長さ６５ｍｍ、内径２２ｍｍ、外径２４ｍｍ）および１つの有底のキャップｄ１（例えば、長さ６６ｍｍ、内径２２ｍｍ、外径２４ｍｍ）で構成されており、上方から順に、短い直管ａ１、ソケットｃ１、長い直管ｂ１、キャップｄ１を接続して形成する。
【００２４】
この場合、例えば、短い直管ａ１の頭部が３ｍｍの長さ分、ソケットｃ１上端面から突出し、ソケットｃ１上端面からキャップｄ１底面までの長さが８９４ｍｍとなるようにする。そして、前記短い直管ａ１が上方に位置して、前記第１の差込片１Ａを形成し、前記キャップｄ１が下方に位置して接地される。
【００２５】
前記第２の柱部材２は、図３に示すように、縦方向に延びる部材であって、下端部が接地され、上端部には、後に詳述する前記第１の桟部材４の端部が差し込み可能で、それぞれ上方向に延びる２つの第２の差込片２Ａおよび第３の差込片２Ｂと、後に詳述する前記第２の桟部材５の端部が差し込み可能で、上方向に延びる１つの第４の差込片２Ｃとを有している。前記第２〜第４の差込片２Ａ〜２Ｃは、略Ｔ字線上に互いに１２０度の角度を持って位置するように配置されている。
【００２６】
この場合、第２の柱部材２は、全て塩化ビニール製のパイプ部材からなる、３つの短い直管ａ２、３つの長い直管ｂ２、３つのソケットｃ２および３つの有底のキャップｄ２で構成されており、上方から順に、短い直管ａ２、ソケットｃ２、長い直管ｂ２、キャップｄ２を接続して連結した部材を３本設け、これら部材を束ねて形成する。そして、前記３つの短い直管ａ２が上方に位置して、前記第２〜第４の差込片２Ａ〜２Ｃを形成し、前記３つのキャップｄ２が下方に位置して接地される。
【００２７】
前記第３の柱部材３は、図４に示すように、縦方向に延びる部材であって、下端部が接地され、上端部には、後に詳述する前記第１の桟部材４の端部が差し込み可能で、それぞれ上方向に延びる２つの第５の差込片３Ａおよび第６の差込片３Ｂと、後に詳述する前記第２の桟部材５の端部が差し込み可能で、それぞれ上方向に延びる第７の差込片３Ｃおよび第８の差込片３Ｄとを有している。前記第５〜第８の差込片３Ａ〜３Ｄは、略十字線上に互いに９０度の角度を持って位置するように配置されている。
【００２８】
この場合、第３の柱部材３は、全て塩化ビニール製のパイプ部材からなる、４つの短い直管ａ３、２つの長い直管ｂ３、４つのソケットｃ３および２つの有底のキャップｄ３で構成されており、上方から順に、短い直管ａ３、ソケットｃ３、長い直管ｂ３、キャップｄ３を接続して連結した部材を２本設け、これら部材を束ねると共に、上方から順に、短い直管ａ３とソケットｃ３を接続して連結した部材を２本設け、この部材の２つのソケットｃ３を、前記束ねられた２本の部材におけるソケットｃ３に接続して形成する。
【００２９】
そして、前記４つの短い直管ａ３が上方に位置して、前記第５〜第８の差込片３Ａ〜３Ｄを形成し、前記２つのキャップｄ３が下方に位置して接地される。なお、第２の柱部材２と第３の柱部材３をそれぞれ構成する管類の長さと全体長さなどの出来上がり寸法は、先に説明した第１の柱部材１を構成する管類の長さと全体長さなどの出来上がり寸法と同寸法である。
【００３０】
前記第１の桟部材４は、図５に示すように、横方向に延びる部材、即ち、手すりとなる部分であって、一端部には、横方向から屈曲して下方向に延び、前記第１の柱部材１の第１の差込片１Ａに着脱自由に連結可能、例えば、差し込み可能な第１の差込口４Ａ（本発明における着脱自由な連結部で、以下、差込口とはこの着脱自由な連結部のことを指す。）を有し、他端部には、前記第２の柱部材２の第２の差込片２Ａ、第３の差込片２Ｂ、前記第３の柱部材３の第５の差込片３Ａおよび第６の差込片３Ｂに差し込み可能な第２の差込口４Ｂを有している。
【００３１】
この場合、第１の桟部材４は、全て塩化ビニール製のパイプ部材からなる、１つの長い直管ａ４（例えば、外径２２ｍｍ）および２つのエルボｅ４（例えば、縦・横それぞれの長さ６０ｍｍ、内径２２ｍｍ、外径２４ｍｍ）で構成されており、該直管ａ４の両端部にそれぞれエルボｅ４を接続する。
【００３２】
そして、前記２つのエルボｅ４により、前記第１および第２の差込口４Ａ、４Ｂを形成する。この場合、例えば、一方のエルボｅ４端面から他方のエルボｅ４端面までの長さ、即ち、全体長さは、１８００ｍｍとなるようにする。
【００３３】
前記第２の桟部材５は、本実施形態においては、上述した第１の桟部材４と同じ構成および長さであるため、図５を兼用して説明を行い、また、組立部品としては両者を兼用して使用する。
【００３４】
即ち、第２の桟部材５は、図５に示すように、横方向に延びる部材、即ち、手すりとなる部分であって、一端部には、横方向から屈曲して下方向に延び、前記第２の柱部材２の第４の差込片２Ｃ、前記第３の柱部材３の第７の差込片３Ｃおよび第８の差込片３Ｄに差し込み可能な第３の差込口５Ａを有し、他端部には、第２の柱部材２の第４の差込片２Ｃ、前記第３の柱部材３の第５の差込片３Ａおよび第６の差込片３Ｂに差し込み可能な第４の差込口５Ｂを有している。
【００３５】
なお、上記の各組立部品において、これらをそれぞれ構成する管類同士は、塩化ビニール用の接着材を使用して接着する。また、第２の柱部材２と第３の柱部材３のそれぞれにおけるソケットｃ２、ｃ３同士およびキャップｄ２、ｄ３同士は、接合部分にステック状の樹脂を発射加熱器具で加熱し溶かして発射塗布し、塗布した樹脂をハンダゴテなどで平らに均し、冷めた樹脂で固着する。図３（Ｂ）および図４（Ｂ）のＸ部分は、前記樹脂を使用した固着部分を示している。
【００３６】
なお、このような樹脂を使用した固着だけで、ソケットｃ２、ｃ３同士およびキャップｄ２、ｄ３同士の十分な結合強度を維持できるが、これらをボルトとナットを用いて締結する方法を付加すれば、さらなる強固な結合状態が得られる。
【００３７】
例えば、図６に示すように、第３の柱部材３において、互いに向かい合う、ソケットｃ３同士とソケットｃ３同士を、２組のボルト６Ａ（例えば、外径６ｍｍ）とナット６Ｂでそれぞれ締結する。これら２組のボルト６Ａ（例えば、外径６ｍｍ）とナット６Ｂ同士は縦方向にずれた位置で交差する。この場合、ソケットｃ３の内側に面する部位にボルト締結孔を形成するのは勿論であるが、互いに向かい合うソケットｃ３それぞれの外側に面する部位にも挿入孔７（例えば、直径８ｍｍ）を、それぞれ位置を縦方向にずらせて形成しておき、ここからボルト６Ａとナット６Ｂおよび締結具をソケットｃ３内部に挿入する。
【００３８】
また、図７に示すように、第３の柱部材３において、互いに向かい合うキャップｄ３同士を、１組のボルト８Ａとナット８Ｂで締結する。この場合も、キャップｄ３の内側に面する部位にボルト締結孔を形成するのは勿論であるが、キャップｄ３の外側に面する部位にも挿入孔９を形成しておき、ここからボルト８Ａとナット８Ｂおよび締結具をキャップｄ３内部に挿入する。
【００３９】
次に、以上のような構造の各組立部品を使用して組み立てたパーティションの形態を、その組立方法を説明しつつ述べる。先ず、パーティションの基本枠体について説明する。即ち、図１の右側の第１の柱部材１と第１の桟部材４と第２の柱部材２とを組み付け（図８参照）、この組付体を立てる。
【００４０】
次に、同図の左側の第１の柱部材１と第１の桟部材４と第３の柱部材３とを組み付け（図９参照）、この組付体を立てる。そして、同図の右側と左側の組付体の第２の柱部材２と第３の柱部材３とを第２の桟部材５を使用して連結すると、上方から見て略コ字形状をなす枠体が組み立てられる。これがパーティションの基本枠体Ｎであり、前部側が開放され、側部側および後部側が隔てられた１つの空間部（小部屋）が仕切形成される。
【００４１】
そして、この基本枠体Ｎの片方の側部、即ち、図１の左側の側部には、第３の柱部材３が位置しているため、基本枠体Ｎの側部に、第１の柱部材１、第１の桟部材４、第３の柱部材３および第２の桟部材５を使用して組立られる別の枠体Ｎ１が仕切形成され、該枠体Ｎ１の側部に別の枠体Ｎ２、該枠体Ｎ２の側部に別の枠体・・・と言うように、多数の枠体が並列して組み立てられる。この場合、側部に隣り合う枠体間に位置する第１の柱部材１、第１の桟部材４および第３の柱部材３は、それぞれ隣り合う枠体同士で共用される。
【００４２】
また、この基本枠体Ｎの背部、即ち、図１の上側には、第２の柱部材２と第３の柱部材３が位置しているため、基本枠体Ｎの背部に、２つの第１の柱部材１と２つの第１の桟部材４を使用して組み立てられる別の枠体ｎが仕切形成され、基本枠体Ｎの隣りの枠体Ｎ１の背部に枠体ｎ１、枠体Ｎ１の隣りの枠体Ｎ２の背部に枠体ｎ２・・・と言うように、多数の枠体が背部に並列して組み立てられる。この場合、背部に隣り合う枠体間に位置する第２の桟部材４、第２の柱部材２および第３の柱部材３は、それぞれ隣り合う枠体同士で共用される。
【００４３】
図１０（Ａ）は、２本の第１の桟部材４と第２の柱部材２との連結部を上方から見た図、同図（Ｂ）は、２本の第１の桟部材４と２本の第２の桟部材５と第３の柱部材３との連結部を上方から見た図である。なお、各枠体において、その高さは９００ｍｍ、左部と右部の横幅は１８００ｍｍ、背部の横幅は１８００ｍｍである。
【００４４】
従って、このような組立式パーティションＰにより、多数の小部屋が２列にわたって並列して形成されるため、これら多数の小部屋で避難者が世帯毎に生活することができる。この場合、小部屋の両脇の２つの第１の桟部材４、或いは、背部の第２の桟部材５、即ち、手すりに、名札１０（図１参照）を吊り下げるなどして取り付ければ、どの世帯者が生活しているかが明確となり、便利である。また、前記の手すりに、ハンガーに掛けた洋服、カーテン、シーツ、布などを吊り下げれば、目隠しとなり、枠体の角部に布などを吊り下げれば、簡易トイレなども置くことができる。
【００４５】
また、小部屋のスペースは、第１の桟部材４や第２の桟部材５の長さによって予め決まるが、隣り合う枠体間のうちの適宜の部位において、第１の柱部材１および第１の桟部材４を予め組み付けないか、これらを組み付けた後に取り外しても、小部屋内のスペースが拡がり、小部屋内のスペースを、２倍、３倍・・・と変更できる。
【００４６】
かかる組立式パーティションＰによれば、体育館や公民館などの広い室内や広場を仕切って多数の小部屋を形成することができるため、広い室内や広場を多数の被災者が共用しながらの避難生活を送る場合に、共通の広い空間内での生活であっても、プライバシーができるだけ確保され、被害者にとってストレスが軽減される。特に、本実施形態においては、枠体の高さを１ｍ近くに設定したため、プライバシーがより確保できる。
【００４７】
しかも、本発明の組立式パーティションＰは、複数の柱部材と複数の桟部材とを選択的に組み合わせて、互いに着脱可能に連結して枠体を形成し、該枠体により室内を仕切るものであるため、柱部材と桟部材のままで、設置場所に容易に運搬することができ、また、単に、柱部材に桟部材を差し込むだけで組み立てが完了するため、速やかに、かつ、熟練を要せず、簡便に組立でき、柱部材と桟部材を足していくだけで、次々に枠体からなる小部屋を増やしていくことができる。特に、本実施形態においては、桟部材が１種類で良いため、部材の種類がより少なくなり、より組立性を向上できる。
【００４８】
特に、本実施形態においては、特定した構成の第１〜第３の柱部材１〜３、第１および第２の桟部材４、５を採用したから、実施形態のように、前面部が開放され、両側面部と後面部が隔てられた、上方から見て略コ字形状をなす枠体を並列して形成することができるため、災害時の非難場所の室内を仕切って、プライバシーがより高く確保される多数の小部屋をより効果的に形成することができ、組立性も向上することができる。
【００４９】
また、段ボールを使用して仕切らずに、柱部材と桟部材を使用しているため、頑丈である。さらに、柱部材と桟部材のみを使用した簡易の間仕切りであるため、不要となった際に、柱部材から桟部材を抜き取るだけで、容易に解体ができ、手間がかからない。従って、避難場所の室内を仕切り形成するパーティションの対する要望を全て満足することができる。
【００５０】
因みに、例えば、第１の桟部材４（第２の桟部材５と共通の組立部品）を１７本、第１の柱部材１を１２本、第２の柱部材２を２本、第３の柱部材３を４本を、枠体（小部屋）が１０個分形成できる１組として、袋に入れ、これを１０袋用意してワンセットとすれば良い。この場合、各袋の表などに組立方法を絵図で載せておくと良い。
【００５１】
かかる実施形態においては、第１〜第３の柱部材１〜３、第１および第２の桟部材４、５の構成部材を、全て塩化ビニール製のパイプ部材から構成したため、強度を保持しつつ、軽量化を図れ、運搬や組立もより労力を軽減できる利点があるが、その他の部材から形成しても良い。
【００５２】
さらに、本実施形態においては、第２の柱部材２の第２〜第４の差込片２Ａ〜２Ｃを、略Ｔ字線上に互いに１２０度の角度を持って位置するように配置し、第３の柱部材３の第５〜第８の差込片３Ａ〜３Ｄを、略十字線上に互いに９０度の角度を持って位置するように配置した結果、第１の桟部材４および第２の桟部材５との差し込み部分が、図１０（Ａ）、（Ｂ）に示すように、略Ｔ字形および略十字形となるため、連結部分が整然としてスペースが無駄にならず、差込作業もスムーズになる。なお、これら第２の柱部材２の第２〜第４の差込片２Ａ〜２Ｃ、第３の柱部材３の第５〜第８の差込片３Ａ〜３Ｄの配置位置は限定されるものではない。
【００５３】
また、本実施形態においては、第１の柱部材１、第２の柱部材２、第３の柱部材３、第１の桟部材４、第２の桟部材５の全てを用いて、上方から見て略コ字形状をなす枠体を形成するようにして、災害時の非難場所の室内（空間部）を仕切るようにしたが、災害時の非難場所の室内を仕切るもの以外の用途に使用しても良い。
【００５４】
この場合、第１の柱部材１、第２の柱部材２、第３の柱部材３、第１の桟部材４、第２の桟部材５の全ての組立部品を用いなくとも良く、図１１（Ａ）〜（Ｄ）に示すように、上方から見て略Ｅ字形状をなす枠体、略Ｈ字形状をなす枠体、略Ｔ字形状をなす枠体、略十字形状をなす枠体などを形成しても良い。
【００５５】
即ち、本発明の組立式パーティションは、ブロック玩具の如く、使用目的に応じて、組立部品の種類と幾通りも存在する組立形態とを選択することにより、種々の形状のパーティションを形成でき、これを増やしたり、減らしたりすることができる。なお、本実施形態においては、第１〜第３の柱部材１〜３側に差込片を設け、第１および第２の桟部材４、５側に差込口を設けるようにしたが、その逆でも構わない。
【００５６】
次に、本発明の他の実施形態を図１２に基づいて説明する。
この実施形態は、第１の桟部材１４および第２の桟部材１５の両端部間の中間部位を、互いに上下方向に離間して並列する複数本（実施形態では、２本）の横棒から構成したものである。
【００５７】
この場合、上部の横棒としての１つの長い直管ａ５（例えば、外径２９ｍｍ）および２つのエルボｅ５を使用して上部材を形成し、下部の横棒としての１つの長い直管ａ６（例えば、外径２２ｍｍ）および２つの略Ｔ字形のチーズｆ５を使用して下部材を形成する。そして、２つのエルボｅ５と２つのチーズｆ５とを、極短い連結棒ｇ５を使用して互いに連結し、前記２つのチーズｆ５の下端部を差込口として、第１〜第３の柱部材１〜３の各差込片に差し込むようにする。
【００５８】
かかる実施形態によれば、桟部材１４、１５の両端部間の中間部位を、２本の横棒から構成したため、該桟部材１４、１５の中間部位の強度が向上し、例えば、桟部材１４、１５は手すりとして機能するため、ここを掴んで立ち上がったり、子供がぶら下がるなどしても、前記の中間部位がしなるなど変形せず、折損を効果的に防止することができる。
【産業上の利用可能性】
【００５９】
複数の柱部材と複数の桟部材とを選択的に組み合わせ、互いに着脱可能に連結して枠体を形成し、該枠体により空間部を簡単に仕切ることができるため、多数の枠体により避難所の空間部を仕切って、多数の生活用小部屋を形成するのに有利となる。
【図面の簡単な説明】
【００６０】
【図１】本発明に係る組立式パーティションの一例として、災害時の非難場所の室内や広場を仕切る組立式パーティションの斜視図
【図２】同上の組立式パーティションにおける第１の柱部材の構造を説明する図で、（Ａ）は正面図、（Ｂ）は平面図
【図３】同上の組立式パーティションにおける第２の柱部材の構造を説明する図で、（Ａ）は正面図、（Ｂ）は平面図、（Ｃ）は右側面図
【図４】同上の組立式パーティションにおける第３の柱部材の構造を説明する図で、（Ａ）は正面図、（Ｂ）は平面図、（Ｃ）は右側面図
【図５】同上の組立式パーティションにおける第１の桟部材（第２の桟部材）の構造を説明する正面図
【図６】同上の第３の桟部材のソケット同士を接続する方法を示す平面断面図
【図７】同上の第３の桟部材のキャップ同士を接続する方法を示す平面断面図
【図８】同上の組立式パーティションにおける第１の柱部材、第１の桟部材、第２の柱部材同士の連結状態を示す正面図
【図９】同上の組立式パーティションにおける第１の柱部材、第１の桟部材、第３の柱部材同士の連結状態を示す正面図
【図１０】同上の組立式パーティションにおける第１の桟部材と第２の桟部材の連結状態を説明する図で、（Ａ）は第２の柱部材における連結状態を示す平面図、（Ｂ）は第３の柱部材における連結状態を示す平面図
【図１１】（Ａ）〜（Ｄ）は、同上の組立式パーティションの他の組立例を示す概略図
【図１２】同上の組立式パーティションにおける第１の桟部材（第２の桟部材）の他の実施形態を示す正面図
【符号の説明】
【００６１】
Ｐ  パーティション
Ｎ  基本枠体
Ｎ１  枠体
Ｎ２  枠体
ｎ１  枠体
ｎ２  枠体
１  第１の柱部材
２  第２の柱部材
３  第３の柱部材
４  第１の桟部材
５  第２の桟部材
１Ａ  第１の差込片
２Ａ  第２の差込片
２Ｂ  第３の差込片
２Ｃ  第４の差込片
３Ａ  第５の差込片
３Ｂ  第６の差込片
３Ｃ  第７の差込片
３Ｄ  第８の差込片
【図１】
2011132665.tif 000003
【図２】
2011132665.tif 000004
【図３】
2011132665.tif 000005
【図４】
2011132665.tif 000006
【図５】
2011132665.tif 000007
【図６】
2011132665.tif 000008
【図７】
2011132665.tif 000009
【図８】
2011132665.tif 000010
【図９】
2011132665.tif 000011
【図１０】
2011132665.tif 000012
【図１１】
2011132665.tif 000013
【図１２】
2011132665.tif 000014